(57)【要約】【課題】作業者がひとりでもパネルの仮置作業が容易になされて施工しやすいフェンスを提供する。【解決手段】間隔をあけて立設された支柱１０間に取付けられた上下一対の上胴縁６０及び下胴縁７０を介してパネル２０が取付けられ、パネル２０は、複数の縦桟３０と、縦桟３０が固定された上下一対の上横桟４０と下横桟５０とを備え、縦桟３０は上横桟４０及び下横桟５０の前側に固定されるようになされ、上横桟４０は、上胴縁６０の上面部に載置される上横板部４３と、上横板部４３の支柱側先端部から下方に向けて設けられた引掛け部４２とを備え、引掛け部４２は、上胴縁６０と支柱１０との間に挿入されるとともに、下横桟５０は、下胴縁７０の上面部７１に対して、前後方向に移動可能に載置される下横板部５２を有するようにすれば、パネル２０の仮止め作業が容易となって、フェンスＰの施工作業を効率的に実施することができる。【選択図】  図１
2019190225.tif 000002
【特許請求の範囲】
【請求項１】
間隔をあけて立設された支柱間に取付けられた上下一対の上胴縁及び下胴縁を介してパネルが取付けられ、
前記パネルは、複数の縦桟と、前記縦桟が固定された上下一対の上横桟及び下横桟を備え、
前記縦桟は上横桟及び下横桟の前側に固定されるようになされ、
前記上横桟は、上胴縁の上面部に載置される上横板部と、前記上横板部の支柱側先端部から下方に向けて設けられた引掛け部とを備え、
前記引掛け部は、前記上胴縁部と支柱との間に挿入されるとともに、
前記下横桟は、下胴縁の上面部に対して、前後方向に移動可能に載置される下横板部を有している
ことを特徴とするフェンス。
【発明の詳細な説明】
【技術分野】
【０００１】
本発明は、住宅、工場、公共施設等の敷地境界部や隣地境界部に設けられるフェンスに関する。
【背景技術】
【０００２】
一般に、道路と敷地の境界、敷地同士の境界等を仕切るために、その境界部に沿ってフェンスが取付けられている。前記フェンスは、通常、境界に沿って立設された支柱間にパネルが取付けられたものであり、支柱の側面間に該支柱とパネルとが略同一面上に取付けられる、いわゆる固定柱タイプと、支柱の前面側にパネルが取付けられる、いわゆる自由柱タイプとがある。
【０００３】
前記フェンスにおいて、例えば、自由柱タイプの場合は、支柱の前面にパネルを直接固定する場合と、支柱に固定したブラケットや胴縁を介して固定する場合等がある。例えば、特許文献１には、割型一方及び他方の胴縁部材を相互に嵌合自在とした割型胴縁を用い、その割型一方の胴縁部材に多数の縦桟を固定したフェンス本体を形成する一方、支柱に固定したブラケットを介して割型他方の胴縁部材に上記割型一方の胴縁部材を嵌合してフェンス本体を配置した傾斜地用フェンスが提案されている。
【先行技術文献】
【特許文献】
【０００４】
【特許文献１】特開２００８−８２０２８号公報
【発明の概要】
【発明が解決しようとする課題】
【０００５】
ところで、前記のような傾斜地用フェンスにおいては、胴縁部材を嵌合自在な割型胴縁とすることによって、該割型胴縁同士を連結するためのボルトやビス等の連結具が不要となり、部材点数を削減することができるが、当該特許文献の図４、図８に示されるような割型胴縁を上下２段用いると、該割型胴縁同士を嵌合させる際に、スナップイン嵌合にしても、スライド嵌合にしても作業者ひとりでは嵌合作業が困難であり、また一旦嵌合させると取り外しは容易ではないので、フェンス本体の仮置作業も困難であった。
【０００６】
本発明は、前記の如き問題点を解消し、作業者がひとりでもパネルの仮置作業が容易になされて施工しやすいフェンスを提供する。
【課題を解決するための手段】
【０００７】
上記目的を達成するために、本発明は次のような構成としている。
すなわち本発明に係るフェンスは、間隔をあけて立設された支柱間に取付けられた上下一対の上胴縁及び下胴縁を介してパネルが取付けられ、前記パネルは、複数の縦桟と、前記縦桟が固定された上下一対の上横桟及び下横桟を備え、前記縦桟は前記上横桟及び下横桟の前側に固定されるようになされ、前記上横桟は、前記上胴縁の上面部に載置される上横板部と、前記上横板部の支柱側先端部から下方に向けて設けられた引掛け部とを備え、前記引掛け部は、前記上胴縁部と支柱との間に挿入されるとともに、前記下横桟は、下胴縁の上面部に対して、前後方向に移動可能に載置される下横板部を有している特徴とするものである。
【発明の効果】
【０００８】
本発明によれば、前記上横桟は、前記上胴縁の上面部に載置される上横板部と、前記上横板部の支柱側先端部から下方に向けて設けられた引掛け部とを備え、前記引掛け部は、前記上胴縁部と支柱との間に挿入されるとともに、前記下横桟は、下胴縁の上面部に対して、前後方向に移動可能に載置される下横板部を有しているので、作業者がひとりであっても、まず、パネルの上横桟を上胴縁の上面部付近に配置し、その後、下横桟を下胴縁の上面部付近に配置することで、上下の胴縁を介して支柱間にパネルを容易に仮固定することができるので、施工性を高めることができる。
【図面の簡単な説明】
【０００９】
【図１】本発明に係るフェンスにおいて実施の一形態を示す正面図である。
【図２】図１の上横桟付近の縦断面図である。
【図３】図１の下横桟付近の縦断面図である。
【図４】図１の支柱に対するパネルの取付構造の説明図である。
【図５】図１の支柱に対するパネルの取付構造の他の説明図である。
【図６】図１の支柱に対するパネルの取付構造の更に他の説明図である。
【発明を実施するための形態】
【００１０】
次に、本発明を実施するための最良の形態について図面を参照し、具体的に説明する。図１〜３は本発明に係るフェンスにおいて実施の一形態を示すものであり、図１は本形態に係るフェンスＰの正面図である。
【００１１】
図面において、１０は設置面に間隔をおいて立設された支柱、２０は支柱１０の前面に取付けられたパネル、３０はパネル２０を構成する縦桟、４０及び５０は縦桟３０が固定される上下一対の上横桟及び下横桟、６０及び７０は支柱１０間に取付けられた上下一対の上胴縁及び下胴縁であって、上胴縁６０及び下胴縁７０を介して支柱１０間にパネル２０が取付けられている。
【００１２】
支柱１０は、その下部が設置面に埋設されて適宜間隔をあけて立設されている。支柱１０は一般に強度的に安定している鋼管が用いられるが、鋼材以外に他の金属を用いてもよい。他の金属としては、アルミニウム合金、ステンレス合金等を挙げることができる。支柱１０の断面形状は、本形態のように、上胴縁６０及び下胴縁７０が取付けやすい平坦な箇所を有した前面が平坦な角型形状の鋼管が好適に用いられる。なお、支柱１０の前側とは、支柱１０に対してパネル２０が配置される方であり、実施例についてもその様に説明する。
【００１３】
パネル２０は、左右に間隔をあけて配置された多数の縦桟３０が、上下に間隔をあけて配置された上横桟４０及び下横桟５０によって、その交差部で固定具（図示せず）により固定され縦格子状に形成されている。
【００１４】
縦桟３０は、一般にはアルミニウムやアルミニウム合金製の角パイプが好適に用いられるが、他の金属を用いてもよく、ステンレス合金や鋼材を用いることができる。隣り合う縦桟３０のピッチは特に限定されるものではないが、フェンスＰを設置した時に、通行人等が横桟４に足を掛けてパネル２０を容易に乗り越えないように、該縦桟３０間のピッチは靴が入りにくい方が好ましく、本形態では約５０ｍｍとしている。
【００１５】
縦桟３０の断面形状は、本形態に限定されるものではなく、多角形状の断面でもよく、円形状の断面でもよく、これらを組み合わせた形状でもよく、上横桟４０及び下横桟５０に固定できればよい。
【００１６】
図２は図１の上横桟４０付近の縦断面図である。上横桟４０は、縦桟３０を所定の間隔あけて固定するための上縦板部４１と、上胴縁６０に引っ掛けるための引掛け部４２とを備えている。上縦板部４１は、本形態では、縦桟３０と交差する箇所で固定具としてのリベット３１により連結されている。
【００１７】
次に、上横桟４０と上胴縁６０との関係について更に詳しく説明する。上横桟４０は、本形態では、薄板を屈曲させて形成した如き形態であって、上縦板部４１と、上縦板部４１の上端を水平に屈曲して形成された上横板部４３と、上横板部４３の先端部から下方に向けて設けられた前述の引掛け部４２とを備えている。一方、上胴縁６０は、本形態では、上横板部４３が載置される上面部６１と、上面部６１の支柱１０側の端部から下方に向けて設けられた後面部６２とを備えており、支柱１０に取付けられている。
【００１８】
また、支柱１０と上胴縁６０との間には、引掛け部４２の前後方向の肉厚よりも間隔が広い隙間１１が設けられている。これにより、引掛け部４２は、上胴縁６０の後面部６２の奥である隙間１１内に配置しても支柱１０と干渉することないので、隙間１１内に引掛け部４２を容易に挿入することができる。引掛け部４２を隙間１１内に挿入した後は、引掛け部４２が上胴縁６０の後面部６２に引っ掛かって、上横桟４０が前側に容易には移動しない状態となる。
【００１９】
図３は図１の下横桟５０付近の縦断面図である。下横桟５０は、縦桟３０を所定の間隔あけて固定するための下縦板部５１と、下胴縁７０上に載置される下横板部５２とを備えている。下縦板部５１は、本形態では、縦桟３０と交差する箇所で固定具としてのリベット３１により連結されている。
【００２０】
次に、下横桟５０と下胴縁７０との関係について更に詳しく説明する。下横桟５０は、本形態では、薄板を屈曲させて形成した如き形態であって、下縦板部５１と、下縦板部５１の上端を水平に屈曲して形成された下横板部５２とを備えた断面略Ｌ字状に形成されている。下胴縁７０は、本形態では、下横板部５２が載置される上面部７１と上面部７１の支柱１０側の端部から下方に向けて設けられた後面部７２とを備えており、支柱１０に取付けられている。
【００２１】
従って、上胴縁６０に上横桟４０の引掛け部４２を引っ掛け、下胴縁７０の上面部７１に下横桟５０の下横板部５２を載置することによって、パネル２０を上胴縁６０、下胴縁７０を介して支柱１０に仮固定することができる。
【００２２】
上横桟４０及び下横桟５０は、一般には強度的に安定しておりコストの安い鋼板が好適に用いられ、また該鋼板のプレス加工やロールフォーミング等の曲げ加工によって作製される。また、上胴縁６０及び下胴縁７０も、一般には強度的に安定しておりコストの安い鋼板が好適に用いられ、また該鋼板のプレス加工やロールフォーミング等の曲げ加工によって作製される。
【００２３】
次に、支柱１０に対する上胴縁６０の取付構造について、図２を用いて詳しく説明する。上胴縁６０の背面には、支柱１０に固定するための取付部材８０が取付けられている。取付部材８０は、本形態では、縦板状であって、その中央部には支柱１０側に開口する溝部８１が横方向に沿って設けられて、溝部８１から上方に向けて上板部８２が設けられ、溝部８１から下方に向けて下板部８３が設けられた断面ハット状に形成されている。
【００２４】
そして、下取付金具１３と支柱１０との間に上板部８２がボルトＢ１及びナットＮ１によって固定され、上取付金具１２と支柱１０との間に下板部８３がボルトＢ１及びナットＮ２によって固定されている。これにより、支柱１０の前側に取付部材８０が固定される。
【００２５】
取付部材８０は、ボルトＢ３によって上胴縁６０の後面部６２に固定されている。具体的には、ボルトＢ３の頭部が取付部材８０の溝部８１内に収納され、ねじ部が取付部材８０及び上胴縁６０の後面部６２を前後方向に貫通してナットＮ３が螺着されたものである。なお、上胴縁６０は前側が開口しているので、ボルトＢ３にナットＮ３を容易に螺着することができる。なお、下胴縁７０も取付部材８０を用いて同様な構造により支柱１０に固定されているので、既に説明した内容と同じ構成要素には同じ符号を付し、その説明は省略する。
【００２６】
図４〜図６は、支柱に対するパネルの取付構造の説明図である。まず、図４に示すように、支柱１０に取付部材８０を上下二カ所に固定し、更に上下の取付部材８０に上胴縁６０及び下胴縁７０をそれぞれ固定する。そして、支柱１０の前面側にパネル２０を用意する。
【００２７】
続いて、図５に示すように、パネル２の上横桟４０を上胴縁６０に近づけて、上横桟４０の引掛け部４２を支柱１０と上胴縁６０との間の隙間１１に挿入する。本形態においては、支柱１０と上胴縁６０との間には、取付部材８０の上板部８２と、上板部８２を固定する上取付金具１２が位置している。上取付金具１２は、本形態では、支柱１０に固定される固定部１２ａと、固定部１２ａから前方に膨出する膨出部１２ｂとを備えており、膨出部１２ｂと支柱１０との間に設けられた隙間に上板部８２が配置されてボルトＢ１により固定部１２ａを固定することによって、上板部８２が固定される。
【００２８】
上横桟４０の引掛け部４２を、上胴縁６０の後面部６２と膨出部１２ｂとの隙間１４の間に挿入することで、上横桟４０が上胴縁６０に引っ掛かった状態となる。そうすると、パネル２０の自重により、上横桟４０の上横板部４３の先端側が上方に持ち上がるように作用し、それに連動して引掛け部４２の下端側が支柱側に移動する。このため、隙間１４の前後方向の間隔が狭いほど、引掛け部４２が膨出部１２ｂに接触または押圧した状態となり、それが抵抗となって前記の作用を抑えることができるので、隙間１４の間隔は狭い方が良いが、狭くしすぎると、引掛け部４２を隙間１４に挿入しにくくなる。
【００２９】
また、本形態のように引掛け部４２が縦板状に形成されているので、隙間１４が狭いと引掛け部４２をなるべく傾けないように挿入する必要がある。特に、下横桟５０にも引掛け部４２と同様な部材を有していると、パネル２０をほぼ垂直に保持する必要があり、パネル２０の僅かな傾きや上下の引掛け部の僅かな位置ずれによって、引掛け部の下端部が上胴縁６０、下胴縁７０や上取付金具１２に接触しやすく傷や変形等が生じる恐れがある。
【００３０】
本形態では、下横桟５０は、上横桟４０の引掛け部４２に相当するものを備えておらず、上横桟４０の上横板部４３に相当する下横板部５２は、下胴縁７０の上面部７１下胴縁に対して、前後方向に移動可能となされている。
【００３１】
これにより、図５に示すようにパネル２０の上横桟４０側を支柱１０側にやや倒して傾けて、上横桟４０を上胴縁６０に引っ掛けた後に、パネル２０を起こして、下横桟５０の下横板部５２が下胴縁７０と干渉せずに上面部７１上に載置することができる。すなわち、パネル２０を傾けることにより、引掛け部４２の支柱１０側の面が上取付金具１２の膨出部１２ｂの表面に接触する場合があるが、面と面との接触のため、傷等が生じにくい。そして、接触した後にパネルを起こすことによって、引掛け部４２の下端部は膨出部１２ｂや上胴縁６０に強く接触することなく、引掛け部４２を隙間１４内にスムーズに挿入することができる。
【００３２】
このパネル２０の起こす作業により、下横桟５０の下横板部５２が下胴縁７０の上面部７１上に載置される。これにより、図６に示すように、パネル２０が上胴縁６０及び下胴縁７０を介して支柱１０に仮固定された状態となる。
【００３３】
この後、上横桟４０と上胴縁６０とを固定具によって固定し、下横桟５０と上胴縁７０とを固定具によって固定することによって、パネル２０の取付作業が完了する。本形態では、上横桟４０と上胴縁６０とを前後方向に貫通するボルト（図示せず）にナット（図示せず）を螺着することによって固定されている。なお、下横桟５０と下胴縁７０とも同様な固定構造とすればよい。
【産業上の利用可能性】
【００３４】
本発明に係るフェンスＰによれば、支柱１０間に取付けた上胴縁６０及び下胴縁７０にパネル２０を取付ける際、パネル２０の仮固定作業を容易に実施できるので、パネルの仮固定した状態で、パネル２０の位置の微調整が容易にできるので、特に設置距離が長いフェンスに好適に用いることができる。
【符号の説明】
【００３５】
１０  支柱
１１  隙間
１２  上取付金具
１２ａ  固定部
１２ｂ  膨出部
１３  下取付金具
１４  隙間
２０  パネル
３０  縦桟
３１  リベット
４０  上横桟
４１  上縦板部
４２  引掛け部
４３  上横板部
５０  下横桟
５１  下縦板部
５２  下横板部
６０  上胴縁
６１  上面部
６２  後面部
７０  下胴縁
７１  上面部
７２  後面部
８０  取付部材
８１  溝部
８２  上板部
８３  下板部
Ｂ１〜Ｂ４  ボルト
Ｎ１〜Ｎ４  ナット
Ｐ    フェンス
【図１】
2019190225.tif 000003
【図２】
2019190225.tif 000004
【図３】
2019190225.tif 000005
【図４】
2019190225.tif 000006
【図５】
2019190225.tif 000007
【図６】
2019190225.tif 000008